(57)【特許請求の範囲】
【請求項１】
所定間隔に対峙して配設される型枠パネルと、該対峙する型枠パネルの裏面側同士を連結する連結部材とを備え、該型枠パネル間に流動コンクリートを流し込んで型枠パネルとコンクリートとを一体にした壁体を構築する壁体の永久型枠において、
上記型枠パネルを、連設される複数のパネル材と、該連設されるパネル材の側端間に設けられ該パネル材の側端を保持する複数の支柱とを備えて構成し、
上記支柱を、該支柱の長手方向に沿って設けられた中空部と、上記支柱の長手方向に沿って該支柱の裏面側に形成されるとともに上記中空部に連通し該中空部の幅より狭い幅の裏側開口とを備えて構成し、
上記連結部材を、ロッドと、該ロッドの両端に設けられ上記支柱の裏側開口に挿通され該ロッドの軸線を中心とする回転により上記裏側開口の内側縁部に係合する一対の係合片とを備えて構成し、
上記各係合片を、上記ロッドの軸線に直交する軸線を有した棒状に形成し、一方の係合片の軸線の方向と、他方の係合片の軸線の方向とをずらしたことを特徴とする壁体の永久型枠。
【請求項２】
上記裏側開口を、上記中空部の長手方向中央に沿って形成するとともに、上記各係合片を、上記ロッドの軸線に対して左右対称に形成し、
上記中空部の幅をＨとしたとき、一方の係合片の最大長さＬ１を、Ｌ１＜Ｈに設定し、他方の係合片の最大長さＬ２を、Ｌ２＞Ｈに設定したことを特徴とする請求項１記載の壁体の永久型枠。
【請求項３】
上記中空部の底壁面に対峙する上記各係合片の端面に、該中空部の底壁面に当接する突起を設けたことを特徴とする請求項１または２記載の壁体の永久型枠。
【請求項４】
上記支柱に、上記パネル材の側端を保持する凹所を備えて構成したことを特徴とする請求項１乃至３何れかに記載の壁体の永久型枠。
【請求項５】
上記支柱を、金属もしくは樹脂で型成形したことを特徴とする請求項１乃至４何れかに記載の壁体の永久型枠。
【請求項６】
上記型枠パネルを構成する型枠パネルユニットを備え、該型枠パネルユニットを、一側に設けられる一側支柱と、他側に設けられる他側支柱とを備えて構成し、上記一側支柱の外側に凸条を形成し、上記他側支柱の外側に上記一側支柱の凸条が嵌合しうる形状の凹条を形成し、隣接する型枠パネルユニットを上記一側支柱の凸条と他側支柱の凹条とを嵌合させて連結することを特徴とする請求項１乃至５何れかに記載の壁体の永久型枠。
【請求項７】
上記型枠パネルを構成する型枠パネルユニットを備え、該型枠パネルユニットを、複数のパネル材と、該パネル材同士を連結する中間支柱と、連結された複数のパネル材の一側に設けられる一側支柱と、連結された複数のパネル材の他側に設けられる他側支柱とを備えて構成し、上記一側支柱の外側に凸条を形成し、上記他側支柱の外側に上記一側支柱の凸条が嵌合しうる形状の凹条を形成し、隣接する型枠パネルユニットを上記一側支柱の凸条と他側支柱の凹条とを嵌合させて連結することを特徴とする請求項１乃至５何れかに記載の壁体の永久型枠。
【請求項８】
上記パネル材を、上記支柱間に充填される樹脂を有して構成したことを特徴とする請求項６または７記載の壁体の永久型枠。
【請求項９】
上記支柱を、該支柱の長手方向に沿って設けられた中空部と、上記支柱の長手方向に沿って該支柱の表面側に形成されるとともに上記中空部に連通し該中空部の幅より狭い幅の表側開口とを備えて構成したことを特徴とする請求項６乃至８何れかに記載の壁体の永久型枠。
【請求項１０】
上記型枠パネル間に流動コンクリートを流し込む際、連設された型枠パネルユニットの表面側であって隣接する型枠パネルユニットに跨って付設され該各型枠パネルユニットを押える押え棒と、上記支柱の表側開口のある中空部に着脱可能に取り付けられ上記支柱に押え棒を保持する保持金具とを備えたことを特徴とする請求項９記載の壁体の永久型枠。
【請求項１１】
上記保持金具を、上記支柱の表側開口に挿通され回転により表側開口の内側縁部に係合する棒状の係合体と、該係合体から突設するボルトと、該ボルトに螺合し締め付けにより上記係合体を上記表側開口の内側縁部に固着させるナットと、該ナットから突設し上記押え棒を支承する支承棒と、該支承棒に設けられた穴に嵌入され上記押え棒を上記支柱に押圧する楔とを備えて構成したことを特徴とする請求項１０記載の壁体の永久型枠。
【請求項１２】
上記支柱の表側開口のある中空部に着脱可能に取り付けられ上記型枠パネルユニットの設置面に対する高さ調整を行なう高さ調整金具を備えたことを特徴とする請求項９乃至１１何れかに記載の壁体の永久型枠。
【請求項１３】
上記高さ調整金具を、上記支柱の表側開口に挿通され回転により表側開口の内側縁部に係合する棒状の係合体と、該係合体から突設するボルトと、該ボルトに挿通される長孔を有し設置面に対して支承される調整部材と、上記ボルトに螺合し締め付けにより上記係合体を上記表側開口の内側縁部に固着させて上記調整部材を上記支柱に固定するナットとを備えて構成したことを特徴とする請求項１２記載の壁体の永久型枠。
【請求項１４】
上記設置面に固定され上記調整部材を支承する支承部材を備えたことを特徴とする請求項１３記載の壁体の永久型枠。
【発明の詳細な説明】
【技術分野】
【０００１】
本発明は、側壁，床壁，天井壁等のコンクリート製の壁体の永久型枠に係り、特に、壁体を型枠とともに一体に構築することができる壁体の永久型枠に関する。
【背景技術】
【０００２】
従来、この種の壁体の永久型枠として、図９に示すように、特開２００１−１２４０２１号公報（特許文献１）記載のものが知られている。これは、所定間隔に対峙して配設された型枠パネル１００と、対峙する型枠パネル１００の裏面側同士を連結する連結部材１０１とを備え、型枠パネル１００間に流動コンクリートを流し込んで型枠パネル１００とコンクリートとを一体にした壁体を構築するものである。連結部材１０１は、ネジ手段１０２により長さ調整可能なロッド１０３と、ロッド１０３の両端に設けられ型枠パネル１００に設けた取付金具１０４に係止されるフック１０５とを備えて構成されている。そして、型枠パネル１００を組み立てるときは、連結部材１０１のフック１０５を型枠パネル１００の取付金具１０４に係止し、その後、ネジ手段１０２によりロッド１０３の長さを調整して行なう。
【０００３】
【特許文献１】特開２００１−１２４０２１号公報
【発明の開示】
【発明が解決しようとする課題】
【０００４】
ところで、従来の壁体の永久型枠においては、型枠パネル１００を組み立てるときは、連結部材１０１のフック１０５を型枠パネル１００の取付金具１０４に係止し、その後、ネジ手段１０２によりロッド１０３の長さを調整して行なうので、作業が煩雑になっているという問題があった。
本発明は、このような問題点に鑑みてなされたもので、連結部材を簡易な操作で取り付けることができるようにして、作業性の向上を図った壁体の永久型枠を提供することを目的とする。
【課題を解決するための手段】
【０００５】
このような目的を達成するための本発明の壁体の永久型枠は、所定間隔に対峙して配設される型枠パネルと、該対峙する型枠パネルの裏面側同士を連結する連結部材とを備え、該型枠パネル間に流動コンクリートを流し込んで型枠パネルとコンクリートとを一体にした壁体を構築する壁体の永久型枠において、
上記型枠パネルを、連設される複数のパネル材と、該連設されるパネル材の側端間に設けられ該パネル材の側端を保持する複数の支柱とを備えて構成し、
上記支柱を、該支柱の長手方向に沿って設けられた中空部と、上記支柱の長手方向に沿って該支柱の裏面側に形成されるとともに上記中空部に連通し該中空部の幅より狭い幅の裏側開口とを備えて構成し、
上記連結部材を、ロッドと、該ロッドの両端に設けられ上記支柱の裏側開口に挿通され該ロッドの軸線を中心とする回転により上記裏側開口の内側縁部に係合する一対の係合片とを備えて構成している。
【０００６】
これにより、この壁体の永久型枠を用いて、壁体の施工するときは、設置面に型枠パネルを所定間隔で対峙させて配置し、対峙させた型枠パネル同士を連結部材で連結する。連結部材は、複数本用意され、支柱の適宜の位置において、対峙した支柱間に架設される。この連結部材の取り付けにおいては、先ず、一方の型枠パネルの支柱において、連結部材の一方の係合片を、裏側開口に挿通し、適宜ロッドをその軸線を中心に回転させ、他方の型枠パネルユニットの支柱において、連結部材の他方の係合片を、裏側開口に挿通し、ロッドをその軸線を中心に更に回転させ、両方の係合片を、対峙した両方の支柱における裏側開口の内側縁部に係合させる。
この場合、係合片を支柱の裏側開口に挿通させてロッドを回転させる単純な作業で連結部材を取り付けることができるので、作業がきわめて簡単であり、作業性が大幅に向上させられる。また、連結強度も高いものになる。
【０００７】
型枠パネルを構築したならば、対峙させた型枠パネル間に流動コンクリートを流し込み固化させ、固化させたコンクリートを型枠パネルで覆った一体の壁体を構築する。この場合、型枠パネルに外向きの荷重が作用するが、互いに対峙する型枠パネル同士は、連結部材で連結されているので、この連結部材が型枠パネルを互いに引っ張り合うことになり、そのため、型枠パネルが撓んだりする事態が防止され、型枠パネルが平面を保持して壁体が構築される。
【０００８】
そして、必要に応じ、上記各係合片を、上記ロッドの軸線に直交する軸線を有した棒状に形成し、一方の係合片の軸線の方向と、他方の係合片の軸線の方向とをずらした構成としている。これにより、連結部材の取り付けは、先に、連結部材の一方の係合片を、一方の支柱の裏側開口に挿通し、ロッドをその軸線を中心に回転させ、それから、連結部材の他方の係合片を、他方の支柱の裏側開口に挿通し、ロッドをその軸線を中心に更に回転させて、両方の係合片を両方の支柱に係合させるので、連結作業時に、係合片が支柱の開口から容易に抜け出ることがなく、それだけ、作業を確実に行なうことができる。
即ち、ロッドの軸線に直交する平面から見て、一方の係合片の軸線と他方の係合片の軸線とを、所定の角度θだけ位相を異ならせる。この場合、望ましくは、θ≦４５°に設定すると良い。θ＝０°の場合にはロッドを９０°回転させることにより、両方の係合片の裏側開口の内側縁部への引っ掛かりが強くなるが、連結作業時に、開口から抜けやすくなる。一方、９０°≧θ＞４５°であると、両方の係合片の裏側開口の内側縁部への引っ掛かりが弱くなる。
【０００９】
また、必要に応じ、上記裏側開口を、上記中空部の長手方向中央に沿って形成するとともに、上記各係合片を、上記ロッドの軸線に対して左右対称に形成し、上記中空部の幅をＨとしたとき、一方の係合片の最大長さＬ１を、Ｌ１＜Ｈに設定し、他方の係合片の最大長さＬ２を、Ｌ２＞Ｈに設定した構成としている。
これにより、連結部材の取り付けは、先に、連結部材の一方の係合片を、一方の支柱の裏側開口に挿通し、ロッドをその軸線を中心に回転させ、それから、連結部材の他方の係合片を、他方の支柱の裏側開口に挿通し、ロッドをその軸線を中心に更に回転させる。この場合、一方の係合片の最大長さＬ１が、Ｌ１＜Ｈに設定されているので、一方の係合片を装着する際は、中空部内でどのようにも回転するが、他方の係合片の最大長さＬ２が、Ｌ２＞Ｈに設定されているので、他方の係合片を装着してロッドを回転すると、他方の係合片の外端が中空部の側壁に当接して回転が規制され、連結部材が停止する。そのため、一義的な回転位置において、連結部材を停止させることができるので、装着が容易になるとともに、連結部材の落下が防止され、連結部材の保持を確実に行なわせることができる。
更に、必要に応じ、上記中空部の底壁面に対峙する上記各係合片の端面に、該中空部の底壁面に当接する突起を設けた構成としている。ロッドを回転させる際に、突起が中空部の底壁面に当接するので、各係合片が裏側開口の内側縁部と中空部の底壁面との間に摩擦的に係合して挾持されることになり、そのため、連結部材の落下が防止され、この点でも、連結部材の保持を確実に行なわせることができる。
また、必要に応じ、上記支柱に、上記パネル材の側端を保持する凹所を備えて構成している。凹所にパネル材の側端が入り込むので、容易に剥れにくくなり、それだけパネル材の強度や耐久性が向上させられる。
更に、必要に応じ、上記支柱を、金属もしくは樹脂で型成形した構成としている。製造が容易で、大量生産に向く。
【００１０】
更にまた、必要に応じ、上記型枠パネルを構成する型枠パネルユニットを備え、該型枠パネルユニットを、一側に設けられる一側支柱と、他側に設けられる他側支柱とを備えて構成し、上記一側支柱の外側に凸条を形成し、上記他側支柱の外側に上記一側支柱の凸条が嵌合しうる形状の凹条を形成し、隣接する型枠パネルユニットを上記一側支柱の凸条と他側支柱の凹条とを嵌合させて連結する構成としている。これにより、ユニット化したので、工場生産が容易であり、また、隣接する型枠パネルユニットにおいては、一側支柱の凸条と他側支柱の凹条とを嵌合させて連結されるので、隣接する型枠パネルユニット同士の連設強度が強いものになる。
【００１１】
あるいはまた、必要に応じ、上記型枠パネルを構成する型枠パネルユニットを備え、該型枠パネルユニットを、複数のパネル材と、該パネル材同士を連結する中間支柱と、連結された複数のパネル材の一側に設けられる一側支柱と、連結された複数のパネル材の他側に設けられる他側支柱とを備えて構成し、上記一側支柱の外側に凸条を形成し、上記他側支柱の外側に上記一側支柱の凸条が嵌合しうる形状の凹条を形成し、隣接する型枠パネルユニットを上記一側支柱の凸条と他側支柱の凹条とを嵌合させて連結する構成としている。これによっても、ユニット化したので、工場生産が容易であり、また、隣接する型枠パネルユニットにおいては、一側支柱の凸条と他側支柱の凹条とを嵌合させて連結されるので、隣接する型枠パネルユニット同士の連設強度が強いものになる。
【００１２】
また、必要に応じ、上記パネル材を、上記支柱間に充填される樹脂を有して構成している。工場生産が容易になる。また、支柱に対して容易に剥れにくくなり、それだけ強度や耐久性が向上させられる。
【００１３】
そしてまた、必要に応じ、上記支柱を、該支柱の長手方向に沿って設けられた中空部と、上記支柱の長手方向に沿って該支柱の表面側に形成されるとともに上記中空部に連通し該中空部の幅より狭い幅の表側開口とを備えて構成している。表側においても、表側開口を利用して、種々の部品を取り付けることができるようになり、極めて便利になる。
【００１４】
また、必要に応じ、上記型枠パネル間に流動コンクリートを流し込む際、連設された型枠パネルユニットの表面側であって隣接する型枠パネルユニットに跨って付設され該各型枠パネルユニットを押える押え棒と、上記支柱の表側開口のある中空部に着脱可能に取り付けられ上記支柱に押え棒を保持する保持金具とを備えた構成としている。対峙させた型枠パネル間に流動コンクリートを流し込み固化させる際、型枠パネルに外向きの荷重が作用するが、型枠パネルは、押え棒によって押えられているので、型枠パネルが撓んだりする事態が防止され、型枠パネルが平面を保持して壁体が構築される。
【００１５】
この場合、必要に応じ、上記保持金具を、上記支柱の表側開口に挿通され回転により表側開口の内側縁部に係合する棒状の係合体と、係合体から突設するボルトと、該ボルトに螺合し締め付けにより上記係合体を上記表側開口の内側縁部に固着させるナットと、該ナットから突設し上記押え棒を支承する支承棒と、該支承棒に設けられた穴に嵌入され上記押え棒を上記支柱に押圧する楔とを備えて構成している。保持金具の取り付け位置を適宜選択できるとともに、楔で保持するので、容易に押え棒を装着でき、この点でも、作業性が向上させられる。
【００１６】
また、必要に応じ、上記支柱の表側開口のある中空部に着脱可能に取り付けられ上記型枠パネルユニットの設置面に対する高さ調整を行なう高さ調整金具を備えた構成としている。高さ調整ができるので、現場の条件に合わせて、精度の良い壁体を構築できる。
【００１７】
この場合、必要に応じ、上記高さ調整金具を、上記支柱の表側開口に挿通され回転により表側開口の内側縁部に係合する棒状の係合体と、該係合体から突設するボルトと、該ボルトに挿通される長孔を有し設置面に対して支承される調整部材と、上記ボルトに螺合し締め付けにより上記係合体を上記表側開口の内側縁部に固着させて上記調整部材を上記支柱に固定するナットとを備えて構成している。調整部材の取り付け位置を容易に変更でき、それだけ作業性が向上させられる。
【００１８】
また、必要に応じ、上記設置面に固定され上記調整部材を支承する支承部材を備えた構成としている。調整部材の支持が確実になる。
【発明の効果】
【００１９】
本発明の壁体の永久型枠によれば、係合片を支柱の裏側開口に挿通させてロッドを回転させる単純な作業で連結部材を取り付けることができるので、作業がきわめて簡単であり、作業性を大幅に向上させることができるとともに、連結強度も向上させることできる。
【発明を実施するための最良の形態】
【００２０】
以下、添付図面に基づいて本発明の実施の形態に係る壁体の永久型枠について詳細に説明する。
図１乃至図８に示すように、本発明の実施の形態に係る壁体の永久型枠Ｋは、所定間隔に対峙して配設される型枠パネルＰと、この対峙する型枠パネルＰの裏面側同士を連結する連結部材２０とを備え、型枠パネルＰ間に流動コンクリートＣ（図８）を流し込んで型枠パネルＰとコンクリートＣとを一体にした壁体Ｈ（図８）を構築するものである。
【００２１】
型枠パネルＰは、連設される複数のパネル材１と、隣接するパネル材１の側端間に設けられパネル材１の側端を保持する複数の支柱１０とを備えて構成されている。
実施の形態では、型枠パネルＰは、予め工場生産される型枠パネルユニットＰＵを連結することにより構成される。型枠パネルユニットＰＵは、図１，図２及び図８に示すように、複数（実施の形態では２枚）のパネル材１と、パネル材１同士を連結する中間支柱１０（Ａ）と、連結された複数のパネル材１の一側に設けられる一側支柱１０（Ｂ）と、連結された複数のパネル材１の他側に設けられる他側支柱１０（Ｃ）とを備えて構成されている。図１中、符号２，３は、パネル材１の上下側端を夫々保持する桟である。
【００２２】
パネル材１は、金属製板，樹脂製板あるいは木製板等適宜のものが用いられる。実施の形態では、例えば、高発泡ウレタンフォーム等の断熱材としての樹脂が用いられる。樹脂としては、予め板状に成形したものでも良く、また、注入により支柱１０間に充填して設けられるものでも良い。ここでは充填して設けられるものを用いている。また、樹脂の表面に、表面材を設けても良い。
【００２３】
支柱１０は、例えば、金属あるいは樹脂の押し出し型成形で形成され、実施の形態ではアルミニウム合金の押し出し型成形で形成されている。支柱１０は、図１及び図２に示すように、支柱１０の長手方向に沿って、表裏方向に連設された３つの断面矩形状の中空部１１を備えている。支柱１０の裏面側には、支柱１０の長手方向中央に沿って裏面側の中空部１１に連通しこの中空部１１の幅より狭い幅の裏側開口１２が形成されている。一方、支柱１０の表面側には、支柱１０の長手方向中央に沿って表面側の中空部１１に連通しこの中空部１１の幅（Ｈ）より狭い幅の表側開口１３が形成されている。
【００２４】
また、図２に示すように、中間支柱１０（Ａ）の両側，一側支柱１０（Ｂ）の内側及び他側支柱１０（Ｃ）の内側は、チャンネル状に形成されており、パネル材１の側端を保持する凹所１４を備えて構成されている。この凹所１４のある支柱１０間に、パネル材１を構成する断熱材としての樹脂が注入により充填されている。そのため、凹所１４にパネル材１の側端が入り込むので、容易に剥れにくくなり、それだけパネル材１の強度や耐久性が向上させられる。
【００２５】
また、一側支柱１０（Ｂ）の外側には、長手方向に沿う凸条１５が形成され、他側支柱１０（Ｃ）の外側には、一側支柱１０（Ｂ）の凸条１５が嵌合しうる形状の長手方向に沿う凹条１６が形成されている。これにより、隣接する型枠パネルユニットＰＵを一側支柱１０（Ｂ）の凸条１５と他側支柱１０（Ｃ）の凹条１６とを嵌合させて連結する。
【００２６】
連結部材２０は、図２，図３及び図４に示すように、例えば、金属や樹脂で形成され、ロッド２１と、ロッド２１の両端に設けられ支柱１０の裏側開口１２に挿通されロッド２１の軸線Ｑを中心とする回転により裏側開口１２の内側縁部１１ａに係合する一対の係合片２２とを備えて構成されている。ロッド２１には、スパナが係合して回転を容易にする係合部２１ｂ（図３（ａ））が設けられている。各係合片２２は、ロッド２１の軸線Ｑ（図３）に直交する軸線Ｒ（図３）を有した棒状に形成され、中間部がロッド２１に接合され、ロッド２１の軸線Ｑに対して左右対称に形成されている。また、一方の係合片２２の軸線Ｒ（Ａ）の方向と、他方の係合片２２の軸線Ｒ（Ｂ）の方向とは、ずらしてある。即ち、図３（ｂ）に示すように、ロッド２１の軸線Ｑに直交する平面から見て、一方の係合片２２の軸線Ｒ（Ａ）と他方の係合片２２の軸線Ｒ（Ｂ）とは所定の角度θだけ位相が異なっている。例えば、角度θは、θ＜９０°であり、望ましくは、θ≦４５°、実施の形態では、θ＝３０°に設定されている。θ＝０°の場合にはロッド２１を９０°回転させることにより、両方の係合片２２の裏側開口１２の内側縁部１１ａへの引っ掛かりが強くなるが、連結作業時に、開口１２から抜けやすくなる。一方、θ＞４５°であると、両方の係合片２２の裏側開口１２の内側縁部１１ａへの引っ掛かりが弱くなる。
また、図２及び図３に示すように、中空部１１の幅をＨ（図２）としたとき、一方の係合片２２（Ａ）の最大長さ（対角線長さ）Ｌ１を、Ｌ１＜Ｈに設定し、他方の係合片２２（Ｂ）の最大長さ（対角線長さ）Ｌ２を、Ｌ２＞Ｈに設定した構成としている。
更に、中空部１１の底壁面１１ｂに対峙する各係合片２２の端面に、中空部１１の底壁面１１ｂに当接する突起１８を設けた構成としている。
【００２７】
また、実施の形態においては、図２，図５及び図８に示すように、型枠パネルＰ間に流動コンクリートＣを流し込む際、連設された型枠パネルユニットＰＵの表面側であって隣接する型枠パネルユニットＰＵに跨って付設され各型枠パネルユニットＰＵを押える押え棒３０と、支柱１０の表側開口１３のある中空部１１に着脱可能に取り付けられ支柱１０に押え棒３０を保持する保持金具３１とが備えられている。
【００２８】
保持金具３１は、図２及び図５に示すように、支柱１０の表側開口１３に挿通され回転により表側開口１３の内側縁部１１ａに係合する棒状の係合体３２と、係合体３２から突設するボルト３３と、ボルト３３に螺合し締め付けにより係合体３２を表側開口１３の内側縁部１１ａに固着させるナット３４と、ナット３４から突設し押え棒３０を支承する支承棒３５と、支承棒３５に設けられた穴３６に嵌入され押え棒３０を支柱１０に押圧する楔３７とを備えて構成されている。
【００２９】
更に、実施の形態においては、図６及び図７に示すように、支柱１０の表側開口１３のある中空部１１に着脱可能に取り付けられ型枠パネルユニットＰＵの設置面Ｌに対する高さ調整を行なう高さ調整金具４０が備えられている。
この高さ調整金具４０は、支柱１０の表側開口１３に挿通され回転により表側開口１３の内側縁部１１ａに係合する棒状の係合体４１と、係合体４１から突設するボルト４２と、ボルト４２に挿通される長孔４３を有し設置面Ｌに対して支承される板状の調整部材４４と、ボルト４２に螺合し締め付けにより係合体４１を表側開口１３の内側縁部１１ａに固着させて調整部材４４を支柱１０に固定するナット４５とを備えて構成されている。また、設置面Ｌにビス４６で固定され上縁が調整部材４４に設けた段差４４ａに当接して調整部材４４を支承する断面Ｌ字状の支承部材４７が備えられている。
【００３０】
従って、この実施の形態に係る壁体の永久型枠Ｋを用いて、例えば、建物の壁体Ｈとしての側壁の施工するときは、図１，図２及び図８に示すように、設置面Ｌに一組の型枠パネルユニットＰＵを所定間隔で対峙させて配置し、対峙させた型枠パネルユニットＰＵ同士を連結部材２０で連結する。連結部材２０は、複数本用意され、支柱１０の適宜の位置において、対峙した支柱１０間に架設される。
【００３１】
この連結部材２０の取り付けにおいては、先ず、図４（ａ）に示すように、一方の型枠パネルユニットＰＵの支柱１０において、連結部材２０の一方の係合片２２（Ａ）を、その軸線Ｒ（Ａ）と裏側開口１２の長手方向とを平行にした状態で、裏側開口１２に挿通し、図４（ｂ）に示すように、連結部材２０の他方の係合片２２の軸線Ｒ（Ｂ）と他方の型枠パネルユニットＰＵの支柱１０にある裏側開口１２の長手方向とが平行になるように、ロッド２１をその軸線Ｑを中心に回転させる。この場合、一方の係合片２２（Ａ）の最大長さＬ１が、Ｌ１＜Ｈ（中空部１１の幅）に設定されているので、一方の係合片２２（Ａ）を装着する際は、中空部１１内でどのようにも回転する。また、ロッド２１を回転させる際に、突起１８が中空部１１の底壁面１１ｂに当接するので、係合片２２が裏側開口１２の内側縁部１１ａと中空部１１の底壁面１１ｂとの間に摩擦的に係合して挾持されることになり、そのため、連結部材２０の落下が防止され、装着が容易になる。
【００３２】
そして、この状態で、他方の型枠パネルユニットＰＵの支柱１０において、連結部材２０の他方の係合片２２（Ｂ）を、裏側開口１２に挿通し、図４（ｃ）に示すように、ロッド２１をその軸線Ｑを中心に更に回転させ、両方の係合片２２を、対峙した両方の支柱１０における裏側開口１２の内側縁部１１ａに係合させる。この場合、他方の係合片２２（Ｂ）の最大長さＬ２が、Ｌ２＞Ｈ（中空部１１の幅）に設定されているので、他方の係合片２２（Ｂ）を装着してロッド２１を回転すると、他方の係合片２２（Ｂ）の外端が中空部１１の側壁に当接して回転が規制され、連結部材２０が停止する。そのため、一義的な回転位置において、連結部材２０を停止させることができるので、装着が容易になるとともに、連結部材２０の落下が防止され、連結部材２０の保持を確実に行なわせることができる。
また、係合片２２を裏側開口１２に挿通させてロッド２１を回転させる単純な作業で連結部材２０を取り付けることができるので、作業がきわめて簡単であり、作業性が大幅に向上させられる。また、連結強度も高いものになる。
【００３３】
一組の型枠パネルユニットＰＵの組付けが終わったならば、別な組の型枠パネルユニットＰＵを、連設する。この場合、隣接する型枠パネルユニットＰＵにおいては、一側支柱１０（Ｂ）の凸条１５と他側支柱１０（Ｃ）の凹条１６とを嵌合させて連結する。一側支柱１０（Ｂ）の凸条１５と他側支柱１０（Ｃ）の凹条１６とが嵌合するので、隣接する型枠パネルユニットＰＵ同士の連設強度が強いものになる。そして、上記と同様に、別な組の型枠パネルユニットＰＵにおいても、連結部材２０により互いに対峙した型枠パネルユニットＰＵ同士を連結する。
【００３４】
このようにして、順次、型枠パネルユニットＰＵを組付けていく。尚、隣接する型枠パネルユニットＰＵの一側支柱１０（Ｂ）と他側支柱１０（Ｃ）とを、これらに跨って設けられる連結板（図示せず）等で固定するようにしてよい。より一層連設強度が増す。
また、図６及び図７に示すように、高さ調整金具４０を取り付け、予め設置面Ｌに固定した支承部材４７に調整部材４４を支承させ、調整部材４４をボルト４２に対して適宜移動させ、ナット４５で締め付けることにより、型枠パネルユニットＰＵの高さ調整を行なう。
【００３５】
型枠パネルユニットＰＵを順次組付けて、型枠パネルＰを構築したならば、図２，図５及び図８（ａ）に示すように、所要の位置に押え棒３０を保持する複数の保持金具３１の支承棒３５を支柱１０に取り付け、押え棒３０を複数の支承棒３５に支承し、連設された型枠パネルユニットＰＵの表面側であって隣接する型枠パネルユニットＰＵに跨って設け、支承棒３５に設けられた穴３６に楔３７を嵌入して、押え棒３０を支柱１０に押圧する。尚、対峙する型枠パネルＰ間には、鉄筋などの補強部材を適宜配設してよい。
【００３６】
この状態で、図８（ａ）に示すように、対峙させた型枠パネルＰ間に流動コンクリートＣを流し込み固化させ、固化させたコンクリートＣを型枠パネルＰで覆った一体の壁体Ｈを構築する。この場合、型枠パネルＰに外向きの荷重が作用するが、互いに対峙する型枠パネルＰ同士は、連結部材２０で連結されているので、この連結部材２０が型枠パネルＰを互いに引っ張り合うことになり、そのため、型枠パネルＰが撓んだりする事態が防止され、型枠パネルＰが平面を保持して壁体Ｈが構築される。また、型枠パネルＰは、押え棒３０によっても押えられているので、これによっても、型枠パネルＰが撓んだりする事態が防止され、型枠パネルＰが平面を保持して壁体Ｈが構築される。そして、コンクリートＣが固化したならば、図８（ｂ）に示すように、保持金具３１を外して押え棒３０を外す。
【００３７】
このように構築された壁体Ｈにおいては、連結部材２０が型枠パネルＰの表面より内側に設けられて埋設されるので、連結部材２０の構成要素が壁体Ｈの表面に露出することがなく、型枠パネルＰの表面の外観を損ねる事態が防止され、また、その後の建物の構築に障害となる事態が防止される。
【００３８】
尚、上記実施の形態に係る壁体の永久型枠Ｋにおいて、型枠パネルユニットＰＵのパネル材１を２枚設けて構成したが、１枚のものでもよい。この場合には、中間支柱１０（Ａ）は不要になる。また、パネル材１を３枚以上設けて構成してもよい。更に、パネル材１及び支柱１０の材質や形状等の構成は上述したものに限定されるものではなく、適宜変更して差支えない。また、上記実施の形態においては、本発明を側壁を構築する場合に適用したが、必ずしもこれに限定されるものではなく、床壁や天井壁等種々の壁体Ｈを構築する場合に適用して良いことは勿論である。
【図面の簡単な説明】
【００３９】
【図１】本発明の実施の形態に係る壁体の永久型枠を示す斜視図である。
【図２】本発明の実施の形態に係る壁体の永久型枠を示す横断面図である。
【図３】本発明の実施の形態に係る壁体の永久型枠において、連結部材の構成を示す図であり、（ａ）は正面図、（ｂ）は側面図である。
【図４】本発明の実施の形態に係る壁体の永久型枠において、連結部材を取り付けるときの工程を示す斜視図である。
【図５】本発明の実施の形態に係る壁体の永久型枠において、押え棒を支承する保持金具の取り付け状態を示す斜視図である。
【図６】本発明の実施の形態に係る壁体の永久型枠において、高さ調整金具を示す分解斜視図である。
【図７】本発明の実施の形態に係る壁体の永久型枠において、高さ調整金具の取り付け状態を示す断面図である。
【図８】本発明の実施の形態に係る壁体の永久型枠を用いて壁体を構築する際の状態を示す斜視図である。
【図９】従来の壁体の永久型枠の一例を示す断面図である。
【符号の説明】
【００４０】
Ｋ  永久型枠
Ｈ  壁体
Ｃ  コンクリート
Ｐ  型枠パネル
ＰＵ  型枠パネルユニット
１  パネル材
２，３  桟
１０  支柱
１０（Ａ）  中間支柱
１０（Ｂ）  一側支柱
１０（Ｃ）  他側支柱
１１  中空部
１１ａ  内側縁部
１１ｂ  底壁面
Ｈ  中空部の幅
１２  裏側開口
１３  表側開口
１４  凹所
１５  凸条
１６  凹条
１８  突起
２０  連結部材
２１  ロッド
２２  係合片
Ｑ  ロッドの軸線
Ｒ  係合片の軸線
θ  角度
Ｌ１  一方の係合片の最大長さ
Ｌ２  他方の係合片の最大長さ
３０  押え棒
３１  保持金具
Ｌ  設置面
４０  高さ調整金具
４７  支承部材
【図１】
0005301122.tif 000002
【図２】
0005301122.tif 000003
【図３】
0005301122.tif 000004
【図４】
0005301122.tif 000005
【図５】
0005301122.tif 000006
【図６】
0005301122.tif 000007
【図７】
0005301122.tif 000008
【図８】
0005301122.tif 000009
【図９】
0005301122.tif 000010